(57)【要約】【課題】  宝石を指輪などの地金に埋め込んで装飾性を高める場合に、宝石を損傷することなく宝石の周囲の際までダイヤモンドカットを施すことができ、仕上りも良好でファッション性を向上できる。【解決手段】ダイヤモンドなどの宝石３の表面が地金２の表面よりも下方に位置するように宝石３を地金に嵌め込んだ後、宝石３の表面より上方に突出している地金の部分をダイヤモンドバイトの刃で切削して、宝石３の真上からその周囲にダイヤモンドカット５を施す。【選択図】        図１
2009178286.tif 000002
【特許請求の範囲】
【請求項１】
地金と同一面にダイヤモンドなどの宝石を埋め込む貴金属指輪、貴金属ペンダント、貴金属ブレスレットなどの装身具において、埋め込んだ宝石の周囲の地金に、この宝石の際までダイヤモンドカットを施したことを特徴とする装身具。
【請求項２】
ダイヤモンドなどの宝石の表面が地金の表面よりも下方に位置するように宝石を地金に嵌め込んだ後、宝石の表面より上方に突出している地金の部分をダイヤモンドバイトの刃で切削して、宝石の真上からその周囲にダイヤモンドカットを施すことを特徴とする装身具の装飾方法。
【請求項３】
ダイヤモンドバイトの刃で地金を切削する前の段階で宝石を地金に嵌め込む深さは、ダイヤモンドバイトの刃で宝石の際の地金を切削する時に、ダイヤモンドバイトの刃が宝石に接触しない深さに設定する請求項２記載の装身具の装飾方法。
【発明の詳細な説明】
【技術分野】
【０００１】
本発明は、ゴールド等の貴金属指輪、貴金属ペンダント、貴金属ブレスレットなどの装身具およびその製造方法に関するものである。
【背景技術】
【０００２】
貴金属指輪、貴金属ペンダント、貴金属ブレスレットなどの装身具で指輪を例にとると、近年、ゴールド、プラチナなどの貴金属指輪で、デザインリングと称せられる装飾的指輪が人気を呼んでいる。
【０００３】
その一例として、図８に示すように指輪１の地金２にダイヤモンドなどの宝石３を埋め込んでファッション性を高めるようにしたものがある。宝石３を地金２に固定する方法としては、図９に示すように指輪１の地金２の表面から例えば約０．４ｍｍ（宝石３の大きさにより決定）の箇所に宝石３のガードルを固定するための溝４を形成し、この溝４で宝石を支承するようにしている。
【０００４】
これは、いわゆるフクリン止めと称せられるものであり、宝石３と地金２との表面が同一面に位置する。そして、このような指輪１の宝石３の周囲の地金２にさらに図１１、図１２に示すようにダイヤモンドバイトの刃でダイヤモンドカット５を施して、さらにファッション性を高めることも考えられる。
【０００５】
ダイヤモンドバイト６の刃６ａは、図４に示すようにホルダー６ｂの両端に刃６ａを取りつけたもので、図４において破線で示した方向、すなわち垂直方向に回転して地金２を切削してダイヤモンドカットを施す。
【０００６】
宝石の周囲の地金２にダイヤモンドカット５を施すとき、宝石３と地金２のそれぞれの表面が前記のように同一面にあるため、ダイヤモンドバイトの刃の軌道は、図１０に示すように、ダイヤモンドバイトの刃が宝石３に接触しないよう、宝石３を避ける必要のあるものとなり、刃６ａの回転軌道の最下点が宝石３の直上に来ないようにしなければならない。
【０００７】
前記従来技術は、当業者間で一般的に行われているものであり、文献公知発明にかかるものではない。
【発明の開示】
【発明が解決しようとする課題】
【０００８】
従来の方法で、宝石３を避けてダイヤモンドバイトの刃で地金２を切削した場合、刃６ａの回転軌道の最下点が宝石３の直上をさけるようにすると、図１１、図１２に示すように宝石３の周囲には広範囲に渉ってダイヤモンドカット５が施されない部分１１が形成されてしまい、装飾性を十分に高めることが出来ない。
【０００９】
なお、予め地金にダイヤモンドカットを施してから、宝石を地金に留める方法も考えられるが、この方法では宝石を留めた跡が汚くなくなって装飾性を損うおそれがある。
【００１０】
本発明の目的は前記従来例の不都合を解消し、宝石を指輪などの地金に埋め込んで装飾性を高める場合に、宝石を損傷することなく宝石の周囲の際までダイヤモンドカットを施すことができ、仕上りも良好でファッション性を向上できる装身具およびその装飾方法を提供することにある。
【課題を解決するための手段】
【００１１】
本発明は前記目的を達成するため、請求項１記載の本発明は、装身具として、地金と同一面にダイヤモンドなどの宝石を埋め込む貴金属指輪、貴金属ペンダント、貴金属ブレスレットなどの装身具において、埋め込んだ宝石の周囲の地金に、この宝石の際までダイヤモンドカットを施したことを要旨とするものである。
【００１２】
請求項２記載の本発明は、装飾方法として、ダイヤモンドなどの宝石の表面が地金の表面よりも下方に位置するように宝石を地金に嵌め込んだ後、宝石の表面より上方に突出している地金の部分をダイヤモンドバイトの刃で切削して、宝石の真上からその周囲にダイヤモンドカットを施すことを要旨とするものである。
【００１３】
請求項１、請求項２記載の本発明によれば、宝石を地金に埋め込んでから、周囲の地金にダイヤモンドカットを施す場合、従来よりも深い位置に宝石を埋め込んでから、周囲の地金が宝石よりも上方に突出し、この部分にダイヤモンドカットを施すことになる。
【００１４】
よって、ダイヤモンドバイトの刃が宝石に接触することなく、宝石の際まで切削でき、宝石の周囲にダイヤモンドカットが施されない部分が生じることを防げる。これにより、装飾性の高い装身具が得られる。
【００１５】
請求項３記載の本発明は、ダイヤモンドバイトの刃で地金を切削する前の段階で宝石を地金に嵌め込む深さは、ダイヤモンドバイトの刃で宝石の際の地金を切削する時に、ダイヤモンドバイトの刃が宝石に接触しない深さに設定することを要旨とするものである。
【００１６】
請求項３記載の本発明によれば、宝石を地金に埋め込む深さは、宝石の形状、サイズによって任意に設定できるから、どのような宝石に対してもダイヤモンドバイトの刃が宝石に接触しないで地金を切削できる。
【発明の効果】
【００１７】
以上述べたように本発明の装身具およびその装飾方法は、宝石を指輪などの地金に埋め込んで装飾性を高める場合に、宝石を地金に埋め込んでから地金を切削し、かつ、切削する地金の表面を宝石よりも上方に突出させてあるから、この部分の地金を切削することになって、宝石を損傷することなく宝石の周囲の際までダイヤモンドカットを施すことができ、仕上りも良好でファッション性を向上できるものである。
【発明を実施するための最良の形態】
【００１８】
以下、図面について本発明の実施形態を詳細に説明する。図１は本発明の装身具の１実施形態を示す要部の平面図で、装身具として指輪１を例にとって地金２に宝石３であるダイヤモンドを埋め込んで、宝石３の周囲の地金２にダイヤモンドカット５を施す方法を説明する。
【００１９】
まず、図２に示すように指輪１の地金２に宝石３を埋め込むための溝４を形成する。この場合、溝４の形成部位として、図９に示した従来例に比較して、ダイヤモンドカット５を施すために地金２を切削する分だけ、従来よりも深い位置に溝４を設ける。例えば、従来が地金２の表面から０．４ｍｍの位置であれば、本発明ではこれに０．１５ｍｍをプラスした０．５５〜０．６ｍｍの深さとする。
【００２０】
そして、このような深さ位置に溝４を加工した地金２に宝石３を埋め込む。この状態で宝石３の表面よりも地金２の表面の方が０．１５ｍｍ分だけ上方に突出している。
【００２１】
このようにして宝石３を埋め込んだ地金２に対して、ダイヤモンドバイト６の刃６ａでダイヤモンドカット５を施す。ここでダイヤモンドバイト６を図４、図５について説明すると、ホルダー６ｂの両側に刃６ａが装着されており、図４においてホルダー６ｂが垂直方向に回転する。
【００２２】
そして、刃６ａは、図５に示すように一例として１５度間隔で、周囲に０．１５ｍｍ幅の面６ｃが形成された多面体刃となっている。この面６ｃは刃６ａの回転方向と直交する方向に形成される。
【００２３】
このような多面体形状の刃６ａを図６に示すように回転させながら宝石３の周囲の地金２に当てるようにして切削する。切削のための刃６ａの回転軌道は、まず、一点鎖線で示したように宝石３の直上に最下点がくるようにして宝石３の表面に対して０度となる面６ｃを対面させ、図６において宝石３の右側の、宝石３よりも上方に突出している地金２を宝石３に対して１５度、３０度の角度で切削し、多面体の溝によるダイヤモンドカット５を施す。
【００２４】
次に、刃６ａの回転軌道を変更し、図６において２点鎖線で示すように宝石３の左側の、宝石３よりも上方に突出している地金２を宝石３に対して１５度、３０度の角度で切削し、多面体の溝によるダイヤモンドカット５を施す。
【００２５】
本発明ではこのように宝石３の周囲に突出している地金２を宝石３の直上から切削するから、ダイヤモンドバイト６の刃６ａで宝石３を傷つけることなく、図１に示すように宝石３の際までダイヤモンドカット５を施すことが可能となり、ダイヤモンドカット５を施した後の指輪１は、図２に示すように宝石３と地金２の表面が同一面となる。
【００２６】
ダイヤモンドバイト６の刃６ａの形状、ダイヤモンドカット５の形態は、前記実施形態に限定されるものではなく、図７に示すようなカット形状、その他の形状とすることもできるが、いずれの場合も宝石３の直上から宝石３に接触しないように切削することで宝石３の際までカットを施すことができる。
【図面の簡単な説明】
【００２７】
【図１】本発明の装身具の実施形態を示す要部の平面図である。
【図２】本発明の装身具の装飾方法の実施形態を示すダイヤモンドカット前の状態の縦断正面図である。
【図３】本発明の装身具の装飾方法の実施形態を示すダイヤモンドカット後の状態の縦断正面図である。
【図４】本発明の装身具の装飾方法の実施形態を示すダイヤモンドバイトの正面図である。
【図５】本発明の装身具の装飾方法の実施形態を示すダイヤモンドバイトの要部である刃の正面図である。
【図６】本発明の装身具の装飾方法の実施形態を示すダイヤモンドバイトによる切削の軌道を示す説明図である。
【図７】本発明の装身具の実施形態を示す要部の平面図である。
【図８】従来の装身具の要部を示す縦断正面図である。
【図９】従来の装身具の装飾方法を示す地金の縦断正面図である。
【図１０】従来の装身具の装飾方法を示すダイヤモンドバイトによる切削の軌道を示す説明図である。
【図１１】従来の装身具の一例を示す要部の平面図である。
【図１２】従来の装身具の他の例を示す要部の平面図である。
【符号の説明】
【００２８】
１  指輪                        ２  地金
３  宝石                        ４  溝
５  ダイヤモンドカット          ６  ダイヤモンドバイト
６ａ  刃                        ６ｂ  ホルダー
６ｃ  面
１１  ダイヤモンドカットが施されない部分
【図１】
2009178286.tif 000003
【図２】
2009178286.tif 000004
【図３】
2009178286.tif 000005
【図４】
2009178286.tif 000006
【図５】
2009178286.tif 000007
【図６】
2009178286.tif 000008
【図７】
2009178286.tif 000009
【図８】
2009178286.tif 000010
【図９】
2009178286.tif 000011
【図１０】
2009178286.tif 000012
【図１１】
2009178286.tif 000013
【図１２】
2009178286.tif 000014